(57)【要約】  ネットワークアクセス装置が繰り返し移送される地理的経路を識別する機器および方法。いくつかの実施形態によると、ネットワークアクセス装置から一連のジオポジションサンプルが受信され、これらのサンプルは或る期間にわたって装置の様々な地理的位置を示す。一連のサンプルから装置が繰り返し移送された地理的経路が識別される。この地理的経路の近くに物理的位置を有する事業主のためコンテンツアイテムが選択される。このコンテンツアイテムはネットワークアクセス装置のユーザに対応付けられたディスプレイに表示される。
2015535123.tif 000002
【特許請求の範囲】
【請求項１】
コンピュータで実行される方法であって、
或る期間にわたってネットワークアクセス装置から前記装置の様々な地理的位置を示す一連のジオポジションサンプルを受信することと、
前記一連のジオポジション信号に応じて前記期間中に前記装置が閾値Ｎ回以上繰り返し移送された地理的経路を識別することと、
前記地理的経路の近くに物理的位置を有する事業主に各々対応する複数の使用可能なコンテンツアイテムからコンテンツアイテムを選択することと、
前記ネットワークアクセス装置のユーザに対応付けられたディスプレイで前記コンテンツアイテムを表示することと、
を備える方法。
【請求項２】
前記一連のジオポジション信号に応じ、前記期間内に前記ネットワークアクセス装置が前記閾値Ｎ回以上繰り返し移送された複数の地理的経路を識別することと、
前記地理的経路の各々につき、前記期間中に前記装置が移送された合計回数を表す頻度数を累積することとをさらに備え、前記コンテンツアイテムは前記関連頻度数に基づいて選択される、請求項１に記載の方法。
【請求項３】
前記コンテンツアイテムは最大の前記関連頻度数を有する前記経路に基づいて選択される、請求項２に記載の方法。
【請求項４】
Ｎは複数である、請求項１に記載の方法。
【請求項５】
前記経路に関連する前記ジオポジションサンプル、加速度データ、およびタイミングデータに応じてモデルを生成することをさらに備え、前記モデルは前記経路に関連する特性を指示し、前記コンテンツアイテムはさらに、生成された前記モデルとの関係で選択される、請求項１に記載の方法。
【請求項６】
前記モデルはさらに、前記経路に関連する地図データに応じて生成される、請求項５に記載の方法。
【請求項７】
前記モデルはさらに、前記経路に関連する気象データに応じて生成される、請求項５に記載の方法。
【請求項８】
前記モデルはさらに、前記経路に関連する交通データに応じて生成される、請求項５に記載の方法。
【請求項９】
前記コンテンツアイテムはさらに、前記事業主によって提示され、前記事業主が選択された前記コンテンツアイテムの表示に対して支払う用意のある金額を表す、指値との関係で選択され、前記指値は、前記期間内に前記地理的経路に沿って動く前記装置が検出された合計回数との関係で変化する、請求項１に記載の方法。
【請求項１０】
前記ネットワークアクセス装置はモバイル通信装置であって、選択された前記コンテンツアイテムは前記モバイル通信装置の前記ユーザに対応付けられた別の第２のネットワークアクセス装置で表示される、請求項１に記載の方法。
【請求項１１】
前記第２のネットワークアクセス装置は前記地理的経路の終点の近くに位置する前記ユーザのデスクトップコンピュータである、請求項１０に記載の方法。
【請求項１２】
前記ユーザによる表示された前記コンテンツアイテムの選択を検出することと、前記事業主と前記選択に応じて前記ディスプレイへ転送された前記コンテンツアイテムの出所との間で資金の送金を実行することとをさらに備える、請求項１に記載の方法。
【請求項１３】
表示された前記コンテンツアイテムの前記選択は、前記ディスプレイに表示された前記コンテンツアイテムのクリックを検出することによって検出される、請求項１２に記載の方法。
【請求項１４】
表示された前記コンテンツアイテムの前記選択は、所定の選択応答期間内に表示された前記コンテンツアイテムに対応する前記事業主の前記物理的位置の方向に向かう前記ネットワークアクセス装置の動きを検出することによって検出される、請求項１２に記載の方法。
【請求項１５】
表示された前記コンテンツアイテムの前記選択は、前記ネットワークアクセス装置を用いて表示された前記コンテンツアイテムに対応する前記事業主の前記物理的位置のｗｉｆｉホットスポットを検出することによって検出される、請求項１４に記載の方法。
【請求項１６】
前記ジオポジションサンプルに基づいて前記ネットワークアクセス装置の前記ユーザのモデルを生成することをさらに備え、前記モデルは前記ユーザが自動車を運転するときの前記ユーザの相対的活発さを指示し、前記コンテンツアイテムは生成された前記モデルとの関係で選択される、請求項１に記載の方法。
【請求項１７】
前記コンテンツアイテムは選択された前記ディスプレイの広告スロットに表示されるよう構成された広告である、請求項１に記載の方法。
【請求項１８】
機器であって、
或る期間にわたってネットワークアクセス装置から前記装置の様々な地理的位置を示す一連のジオポジションサンプルを受信するよう構成され、前記一連のジオポジション信号に応じて前記期間中に前記装置のユーザによって前記装置が繰り返し移送された地理的経路を識別するようさらに構成されたジオ／時間検出モジュールと、
前記ジオポジション信号に応じて前記地理的経路の通行パターンに関連するモデルを生成するよう構成されたモデル生成エンジンと、
前記地理的経路と生成された前記モデルに応じて使用可能なコンテンツアイテム群からコンテンツアイテムを選択し、且つ前記ネットワークアクセス装置の前記ユーザに対応付けられたディスプレイ装置で表示するため前記コンテンツアイテムを転送するよう構成されたコンテンツアイテム選択エンジンと、
を備える機器。
【請求項１９】
ネットワークを介して前記ネットワークアクセス装置へ接続されるサーバとして特徴付けられる、請求項１８に記載の機器。
【請求項２０】
前記モデルは前記経路に関連する前記ジオポジションサンプル、加速度データ、およびタイミングデータに応じて生成され、前記モデルは前記ユーザが前記経路沿いに自動車を運転する特徴的方法を指示し、前記コンテンツアイテムは前記ユーザの前記特徴的運転方法に応じて選択される、請求項１８に記載の機器。
【請求項２１】
前記モデルはさらに、前記経路に関連する地図データに応じて生成される、請求項２０に記載の機器。
【請求項２２】
前記モデルはさらに、前記経路に関連する気象データに応じて生成される、請求項２０に記載の機器。
【請求項２３】
前記モデルはさらに、前記経路に関連する交通データに応じて生成される、請求項２０に記載の機器。
【請求項２４】
前記ネットワークアクセス装置はモバイル通信装置であって、選択された前記コンテンツアイテムは前記モバイル通信装置の前記ユーザに対応付けられた別の第２のネットワークアクセス装置で表示される、請求項１８に記載の機器。
【請求項２５】
前記第２のネットワークアクセス装置は前記地理的経路の終点の近くに位置する前記ユーザのデスクトップコンピュータである、請求項２４に記載の機器。
【請求項２６】
前記モデルは前記ユーザが自動車内の同乗者として前記地理的経路沿いを通行しているか否かを指示し、前記コンテンツアイテムは前記指示に応じて選択される、請求項２４に記載の機器。
【請求項２７】
前記ジオ／時間検出モジュールはさらに、前記一連のジオポジション信号に応じて前記期間内に前記ネットワークアクセス装置が閾値Ｎ回以上繰り返し移送された複数の地理的経路を検出し、且つ前記期間中に前記経路が前記ネットワークアクセス装置によって通行された合計回数を表す頻度数を経路ごとに確認するよう構成され、前記選択エンジンはさらに、選択された前記コンテンツアイテムの前記関連頻度数との関係で前記コンテンツアイテムを選択する、請求項１８に記載の機器。
【請求項２８】
選択される前記コンテンツアイテムは前記ディスプレイ装置の広告スロットに表示されるよう構成された広告である、請求項１８に記載の機器。
【請求項２９】
前記コンテンツアイテムはさらに、前記事業主によって提示され、前記事業主が選択された前記コンテンツアイテムの表示に対して支払う用意のある金額を表す、指値との関係で選択され、前記指値は前記生成されたモデルとの関係で変化する大きさを有する、請求項１８に記載の機器。
【請求項３０】
前記指値は前記期間内に前記地理的経路に沿って動く前記装置が検出された合計回数との関係で変化する大きさを有する、請求項２９に記載の機器。
【請求項３１】
１つ以上のプロセッサによって実行されるよう構成されたプログラミングが蓄積されるコンピュータ可読媒体であって、前記プログラミングは、
或る期間にわたってネットワークアクセス装置から前記装置の様々な地理的位置を示す一連のジオポジションサンプルを受信するステップと、
前記一連のジオポジション信号に応じて前記装置が繰り返し移送された地理的経路を識別するステップと、
前記地理的経路に関連する特徴的通行パターンを指示するモデルを生成するステップと、
別の事業主に各々対応する複数の使用可能なコンテンツアイテムから、生成された前記モデルに関連するコンテンツを有するコンテンツアイテムを選択するステップと、
前記ネットワークアクセス装置のユーザに対応付けられたディスプレイで前記コンテンツアイテムを表示するステップと、
を備える媒体。
【請求項３２】
前記ネットワークアクセス装置はモバイル通信装置であって、選択された前記コンテンツアイテムは前記モバイル通信装置の前記ユーザに対応付けられた別の第２のネットワークアクセス装置で表示される、請求項３１に記載の媒体。
【請求項３３】
前記第２のネットワークアクセス装置は前記地理的経路の終点の近くに位置する前記ユーザのデスクトップコンピュータである、請求項３１に記載の媒体。
【請求項３４】
前記モデルは前記ユーザが自動車内の同乗者として前記地理的経路沿いを通行していることを指示し、前記コンテンツアイテムは前記指示に応じて選択される、請求項３１に記載の媒体。
【請求項３５】
前記モデルは前記ユーザが自動車の運転手として前記地理的経路沿いを通行していることを指示し、前記コンテンツアイテムは前記指示に応じて選択される、請求項３１に記載の媒体。
【請求項３６】
前記モデルはさらに、前記経路に関連する地図データ、気象データ、交通データ、または使用データから選ばれた少なくともいずれか１つに応じて生成される、請求項３１に記載の媒体。
【請求項３７】
前記プログラミングはさらに、前記一連のジオポジション信号に応じて前記期間内に前記ネットワークアクセス装置が閾値Ｎ回以上繰り返し移送された複数の地理的経路を検出し、前記期間中に前記経路が前記ネットワークアクセス装置によって通行された合計回数を表す頻度数を経路ごとに確認し、且つ前記選択されたコンテンツアイテムの前記関連頻度数との関係で前記コンテンツアイテムを選択するよう構成される、請求項３１に記載の媒体。
【請求項３８】
選択される前記コンテンツアイテムは前記ディスプレイ装置の広告スロットに表示されるよう構成された広告である、請求項３１に記載の媒体。
【請求項３９】
前記コンテンツアイテムはさらに、前記事業主によって提示され、前記事業主が選択された前記コンテンツアイテムの表示に対して支払う用意のある金額を表す、指値との関係で選択され、前記指値は前記生成されたモデルとの関係で変化する大きさを有する、請求項３１に記載の媒体。
【発明の詳細な説明】
【背景技術】
【０００１】
背景
コンテンツ提供者（「パブリッシャ」）は通常、様々なネットワークアクセス装置（例えばスマートフォン、タブレット、ラップトップ、ｅリーダ、デスクトップコンピュータ等）に表示されるコンテンツを提供する。コンテンツは、ウェブページ、モバイルアプリケーション（ａｐｐ）、オーディオ作品（例えばｍｐ３ファイル）、ビデオ作品、テキスト作品（例えばｅブック）等、様々な形をとり得る。パブリッシャコンテンツにはコンテンツアイテム（広告、他の宣伝文句、通信等）がしばしば付随し、コンテンツアイテムは、テキスト、画像、ビデオ、リッチメディア等、様々な形をとり得る。
【０００２】
パブリッシャコンテンツは、１つ以上のコンテンツアイテムを要請し、これをパブリッシャディスプレイ上の、またはパブリッシャディスプレイ内の、特別に用意されたスロットに、表示するよう構成できる。コンテンツアイテムは、ランディングページへ至る、または第三者によって所有される他のパブリッシャコンテンツへ至る、リンクを確立できる。コンテンツアイテムの表示は、装置のユーザがコンテンツアイテムを見たり選択したりする場合に、収益機会をはじめとする数々の便益をパブリッシャに提供できる。
【発明の概要】
【課題を解決するための手段】
【０００３】
概要
本明細書に開示される様々な実施形態は概して、ネットワークアクセス装置が繰り返し移送される地理的経路を識別する機器および方法を対象とする。
【０００４】
いくつかの実施形態によると、ネットワークアクセス装置から一連のジオポジションサンプルが受信され、これらのサンプルは或る期間にわたって装置の様々な地理的位置を示す。一連のサンプルから、装置が繰り返し移送された地理的経路が識別される。この地理的経路の近くに物理的位置を有する事業主のためコンテンツアイテムが選択される。このコンテンツアイテムはネットワークアクセス装置のユーザに対応付けられたディスプレイに表示される。
【０００５】
種々の実施形態を特徴付け得るこれらの特徴および利点と他の特徴および利点は、以降の詳細な説明と添付の図面から理解できる。
【図面の簡単な説明】
【０００６】
【図１】種々の実施形態に基づいてネットワークを基盤とするシステムの機能ブロック図である。
【図２】種々の実施形態に基づいてネットワークを基盤とするシステムの別の機能ブロック図である。
【図３】いくつかの実施形態に基づいて図１および図２のシステムの態様を示す図である。
【図４】種々の実施形態に基づいて複数の地理的経路からの複数のジオポジションサンプルを示す図である。
【図５】図４の経路に関連する頻度数情報の表を示す図である。
【図６】種々の実施形態に基づく加速度データのグラフである。
【図７】いくつかの実施形態に基づいてユーザ・モデル・エンジンの態様を示す図である。
【図８】いくつかの実施形態に基づいて遂行されるステップを概説するジオポジションサンプリングルーチンの流れ図である。
【図９】いくつかの実施形態に基づいて遂行されるステップを概説するコンテンツアイテム生成ルーチンの流れ図である。
【図１０】いくつかの実施形態に基づいて遂行されるステップを概説するコンテンツアイテム選択ルーチンの流れ図である。
【発明を実施するための形態】
【０００７】
詳細な説明
本開示は概して、モバイル通信装置やデスクトップコンピュータを含むがこれらに限定されないネットワークアクセス装置でパブリッシャコンテンツと共に表示されるコンテンツアイテムを提供することに関する。
【０００８】
パブリッシャ・ディスプレイ・アイテムは多くの場合、ネットワークアクセス装置に蓄積されるかネットワークアクセス装置へ転送され、装置のグラフィカル・ユーザ・インターフェイス（ＧＵＩ）によって表示される。パブリッシャ・ディスプレイ・アイテムは、ウェブページ、モバイルアプリケーション（ａｐｐ）、ｅリーダブック、ｅメールサービス、検索エンジン、ゲーム、オーディオ作品、ビデオ作品等を含むがこれらに限定されない様々な形をとり得る。
【０００９】
パブリッシャ・ディスプレイ・アイテムは、パブリッシャによって供給されるコンテンツのほかに、第三者からのコンテンツアイテムを挿入するための１つ以上のスロットを含み得る。コンテンツアイテムは、様々なコンテンツアイテム提供者から入手可能なコンテンツアイテム群から選択され得る。コンテンツアイテムは、広告、通信、公共サービス告知、調査や嘆願や他の何らかの活動への勧誘等、様々な形をとり得る。
【００１０】
コンテンツアイテムはクリエイティブな部分とインタラクティブな部分を含み得る。クリエイティブな部分は、テキスト、オーディオ、画像、および／またはビデオ情報をユーザに提供し得る。インタラクティブな部分は、ユーザによって選択されたときに（例えば「クリック」されたときに）、リンクされたウェブページやクリエイティブな部分に関連するその他の場所（「ランディングページ」）へ装置を接続することによって表示を変え得る。
【００１１】
例えば製品および／またはサービスを購入したり、表示されたコンテンツアイテムに関連する物理的位置を訪ねたりして、コンテンツアイテムの表示に対し好意的に反応する見込みがある人々のネットワークアクセス装置へコンテンツアイテムを提供することが、広告主等のコンテンツ所有者にとって望ましくなりつつある。
【００１２】
そこで、本開示の種々の実施形態は概して、ネットワークアクセス装置の地理的通行パターンとの関係でコンテンツアイテムを表示する働きをする。後述するように、ネットワークアクセス装置のユーザが装置のジオポジション情報をシェアすることを選ぶ場合は、装置からのジオポジションサンプルに基づいて、一定の期間内に装置が繰り返し移送された１つ以上の地理的経路が識別される。その後、検出された地理的経路との関係で１つ以上のコンテンツアイテムが選択され、ユーザに対応付けられたディスプレイ装置に表示するため転送される。この地理的経路の近くに地理的位置を有する事業主からのコンテンツアイテムが表示のため選択され得る。
【００１３】
いくつかの実施形態では、コンテンツアイテムがネットワークアクセス装置で直接表示されるが、このネットワークアクセス装置はスマートフォンやユーザが携行できる他のモバイル通信装置であってよい。別の実施形態では、デスクトップコンピュータ、タブレット、ｅリーダ等、ユーザに対応付けられた別の装置でコンテンツアイテムが表示される。別の装置は、ユーザによって採用される経路の終点の近くに位置し得る。
【００１４】
経路は様々な通行パターンの頻度に、すなわち該当する期間内に経路が採用される回数に、基づいて選択されてよい。期間中に閾値Ｎ回以上通行される経路だけが検討のため選択されてよい。あるいは経路頻度の相対的尺度が使用され、比較的高い通行頻度を有する経路との関係でコンテンツアイテムが選択される。
【００１５】
別の実施形態では、ユーザの通行パターンの１つ以上の特性を概して示すモデルが地理的経路データに基づいて生成される。このモデルは、地理的経路に関連する加速度データに基づかせてよく、および／または地図データや気象データ等の他のデータに基づかせてよい。生成されたモデルに応じてユーザに対応付けられたディスプレイ装置に表示する１つ以上のコンテンツアイテムが提供されてよい。
【００１６】
事業主がコンテンツアイテムの表示に対して支払ってもよい金額を表す指値がコンテンツアイテムとともに提出されてよく、あるいはコンテンツアイテムと共に生成されてよい。指値は地理的経路に応じて変化し得る。例えば事業主は、高い経路頻度、様々なモデル特性、コンテンツアイテム表示の結果として検出される地理的経路の変化等に対し、高い指値を提示し得る。
【００１７】
本開示のこれらの特徴および利点と他の特徴および利点を理解するため、まずは図１を参照する。図１は、種々の実施形態に基づいて構成され操作されるネットワークを基盤とするデータ転送システム１００を示す。
【００１８】
具体的な実施例を提示するため、システム１００で扱われるコンテンツアイテムは、種々のパブリッシャ・ディスプレイ・アイテムで様々な広告スロットに表示される広告（ａｄ）を含むと想定される。システムは必要に応じいくつもの異なる種類のコンテンツアイテムを提供するよう構成できるため、これが制限するのではなく具体的な実施例を提示することを専ら目的とすることは理解されよう。
【００１９】
システム１００には、パブリッシャサーバ１０２と、広告（ａｄ）サーバ１０４と、広告主（コンテンツアイテム所有者）サーバ１０６と、少なくとも１つのユーザネットワークアクセス装置１０８とを含む数々の活動要素が組み入れられており、これらはいずれも１つ以上のネットワーク１１２を介して通信する。
【００２０】
図１の様々なサーバと装置はネットワーク機構１１２を介して通信し、ネットワーク機構１１２は、インターネット、ＷＡＮ（ワイドエリアネットワーク）、ＬＡＮ（ローカルエリアネットワーク）、広帯域無線（ｗｉｆｉ）ネットワーク等、１つ以上の通信ネットワークを形成し得る。
【００２１】
パブリッシャ１０２は、ウェブページ、モバイルアプリケーション、検索エンジン、通信プログラム、Ａ／Ｖ作品等、様々な種類のパブリッシャコンテンツを装置１０８へ転送するよう構成されたホスティングサーバや類似システムに相当する。広告サーバ１０４は、パブリッシャコンテンツと併せて広告を表示するため、広告要請を処理する。広告主サーバ１０６は、広告サーバによって供給される広告に対応する物品やサービスの出所または所有者に対応付けることができる。
【００２２】
ネットワークアクセス装置１０８は、パブリッシャ１０２、広告サーバ１０４、および広告主１０６と相互に作用するよう構成されたデスクトップコンピュータ、ラップトップコンピュータ、スマートフォン、タブレット、ゲーム機、テレビ、電子リーダ（ｅリーダ）、その他類似装置等、様々な形をとり得る。必要に応じシステム１００に他の要素を組み入れることができることは理解されよう。
【００２３】
図２は、いくつかの実施形態に基づいて図１のシステム１００の態様を示す。図１からのネットワークアクセス装置１０８はスマートフォン等のモバイル通信装置と想定されるが、これは制限するのではなく具体的な実施例を提示することを専ら目的とする。
【００２４】
装置１０８は、コントローラ１１４と、グラフィカル・ユーザ・インターフェイス（ＧＵＩ）１１６と、全地球測位システム（ＧＰＳ）１１７と、メモリ１１８とを含む。コントローラ１１４は、メモリ内のアプリケーションソフトウェア（例えばウェブブラウザ）やオペレーティング・システム・プログラミングを用いてネットワーク１１２とやり取りするプログラム可能プロセッサであり得る。
【００２５】
ＧＵＩ１１６は、ディスプレイモニタ、キーボード、マウス、スピーカ、ヘッドフォン、タッチスクリーン等を含み得る。メモリ１１８はユーザ装置１０８の中で不揮発性メインメモリ（例えばディスクメモリ、ソリッドステートドライブ等）、データ転送バッファ、ローカルプロセッサ（Ｌ１−Ｌ３）キャッシュ等の素子を含む様々なメモリ装置で構成される階層型メモリ構造に相当し得る。
【００２６】
メモリ１１８は、アプリケーション（ａｐｐ）１２０やアプリケーション（ａｐｐ）データ１２２を含む様々な運用モジュールを蓄積する。単独で示されていない装置オペレーティングシステム（ＯＳ）は、アプリケーションを実行しデータを使用するための運用環境を提供し得る。ダウンロードマネージャ１２４はネットワーク１１２を介した通信とデータ転送を制御する働きをし、ＯＳの一部を成し得る。
【００２７】
選択されるパブリッシャサーバ１０２は、コントローラ１２６と、複数の使用可能なパブリッシャ・ディスプレイ・アイテムを蓄積するメモリ１２８とを含み得る。パブリッシャウェブサイトの場合は、装置１０８からの要請に応じてメモリ１２８からウェブページが転送される。
【００２８】
広告サーバ１０４は、コントローラ１３０と、コンテンツ提供者から入手可能なコンテンツアイテム群を蓄積するメモリ内の広告データベース１３２と、広告選択エンジン１３４（すなわちコンテンツアイテム選択エンジン）と、ジオ／時間検出モジュール１３６とを含む。広告選択エンジン１３４は、メモリに蓄積されコントローラ１３０によって実行されるプロセッサルーチンとして実現されてよく、あるいは独立したハードウェアまたはソフトウェアモジュール（リモートモジュールを含む）であってよい。広告選択エンジン１３４は通常、ウェブページや装置１０８に読み込まれるか装置１０８に常駐する他のパブリッシャコンテンツからの広告要請に応じて、装置１０８に表示する１つ以上の広告をデータベース１３２から転送する働きをする。
【００２９】
引き続き図２を参照し、広告主サーバ１０６は、広告サーバ１０４内にあるコンテンツアイテム（広告）の少なくとも１つに対応する事業主のための一種のパブリッシャサーバである。広告主サーバ１０６は、コントローラ１３８と、ランディングページセレクタ１４０と、メモリ内にある１組のランディングページ１４２とを含む。ランディングページセレクタ１４０は、表示されたコンテンツアイテムがユーザによって「クリック」されるときに１組のランディングページから表示すべきランディングページを選択する。ランディングページはコンテンツアイテムの配置に左右され、オンラインストア、情報ウェブページ、アプリケーションやその他情報を装置へダウンロード（転送）するためのメカニズム等を無制限に含み得る。装置１０８でコンテンツアイテムをクリックすることによって表示されるコンテンツは、あらかじめコンテンツアイテムと共に転送され、装置のローカルメモリ１１８に蓄積されていてもよく、この場合は装置の常駐メモリ１１８からコンテンツが供給される。
【００３０】
図３は、いくつかの実施形態に基づいて図１および図２のシステム１００の態様を示す。広告サーバ１０４のジオ／時間検出モジュール１３６はネットワークアクセス装置１０８から時間とＧＰＳと制御情報を周期的に受信する。他のデータ入力を提供することもできる。ネットワークアクセス装置１０８によって供給される制御情報は、ネットワークアクセス装置１０８の使用、コンテンツ、およびサービスパラメータに関係する何らかの情報であってよい。
【００３１】
ジオ／時間検出モジュール１３６は受信したデータを処理して広告選択エンジン１３４へ１つ以上の入力を提供する働きをし、広告選択エンジン１３４はモジュール１３６からの入力と装置１０８からの要請に基づいてネットワークアクセス装置１０８へ転送しネットワークアクセス装置１０８で表示すべきコンテンツアイテムを選択する。
【００３２】
図３に大まかに示されているように、コンテンツアイテムは装置１０８がジオポジションサンプルを供給しているときに同時に転送できる。あるいは、ジオ／時間検出モジュール１３６で通行パターンを生成し、後ほど使用するため保管することができる。つまり、ネットワークアクセス装置１０８が後ほど作動するときにユーザはモバイルアプリケーションか他機能を起動でき、これが上述したコンテンツアイテム（例えば広告）の転送を求める要請を発行する。このとき広告選択エンジン１３４はモジュール１３６から通行パターン情報を引き出し、この情報をもとに装置１０８へ転送すべき適切なコンテンツアイテムを選択することができる。
【００３３】
コンテンツアイテムは必ずしもジオポジションサンプルの出所にあたる同一の装置１０８へ転送する必要はない。図３は、ユーザに対応付けられた第２のネットワークアクセス装置１０８’をさらに示している。第２の装置１０８’は、職場でユーザによって使用される業務用コンピュータ、タブレット、ｅリーダ、ユーザに対応付けられた別のスマートフォン等、様々な形をとり得る。第２の装置１０８’は様々な方法でユーザに対応付けられていると判断できる。つまり、ユーザはネットワークに対して装置を明確に識別でき、第２の装置１０８’からシステムにログインしたりシステムと通信したりでき、あるいは別の手順を踏んで第２の装置１０８’を第１の装置１０８に関係付けることができる。
【００３４】
ユーザが第２の装置１０８’を操作しているときには、アプリケーションや他のパブリッシャコンテンツが広告選択エンジン１３４にコンテンツアイテムを要請できる。既に述べたように、エンジン１３４はモジュール１３６から通行パターンデータを引き出し、コンテンツアイテム選択過程にこのデータを用いて適切なコンテンツアイテムを第２の装置１０８’へ転送することができる。
【００３５】
ＧＰＳ信号は装置１０８のジオポジションを確認し選択するために使用できるデータの一形式であり、セルラー通信塔、加速度計、ｗｉｆｉホットスポット、インターネットプロトコル（ＩＰ）アドレス、地図アプリケーション情報、キーワード検索情報から引き出される情報、および／または装置の位置を判断できる他の何らかの情報を含む、いくつもの信号を使用できる。装置のユーザには、プログラムまたは機能でかかる情報を収集するか否かを制御する機会が与えられる。つまりユーザは、ユーザについて情報が収集されるか否か、および／またはユーザについて情報がどのように収集されるかと、コンテンツサーバによって情報が使用されるか否か、および／またはコンテンツサーバによって情報がどのように使用されるかを、制御する。
【００３６】
自身の位置をシェアする意思がある人々の場合は、ユーザによって採用される一般的な経路（例えば通勤通学経路、頻繁に通る経路等）を判断できる。地元の広告主はそれらの経路に基づいてユーザのネットワークアクセス装置を選択し、地元の消費者に広告を確実に提供することができる。
【００３７】
一実施例では、Ｘ市の主要道路沿いに地元の喫茶店があってよい。喫茶店の所有者は、喫茶店の周辺を頻繁に通る人々（例えばデスクトップユーザとモバイルユーザ）のネットワークアクセス装置に対し、例えばこれらの人々が通る道路沿いで直接、または喫茶店の近くの道路沿いで、地域広告を提供することを望んでよい。後ほど説明するように、喫茶店の所有者は、頻度（人々がそれらの街路を通る頻度）と方向と喫茶店の近くにある特定の道路に基づいて、人々のネットワークアクセス装置へ広告を提供できる。また、装置によって採用される様々な経路のモデルデータに基づいて広告（ならびに他のコンテンツアイテム）を提供することもできる。これより、これらの態様と他の態様を順次説明する。
【００３８】
図４は、一定の期間にわたって特定のネットワークアクセス装置によって繰り返し採用される複数の異なる地理的経路を大まかに示す。経路は経路Ａ、Ｂ、Ｂ１、Ｂ２、Ｃ、およびＤと表示されている。これらの経路が単なる例であり、地勢にまたがって様々な形をとり得ることは理解されよう。幹線道路、共通の車道、近隣街路沿いの経路等、種々の経路の部分は重なり合うことがある。経路は、自動車経路、公共輸送経路、自転車道路、遊歩道等であってよい。説明を簡素にするため、それぞれの経路例は始点１４４から始まり、異なる終点１４６、１４７、１４８、１４９、１５０、および１５２で終わる形に示されている。ただし経路は連続であっても不連続であってもよく、必要に応じ分割したり結合したりできる。
【００３９】
経路Ａ〜Ｄは、図３に大まかに示されているようにネットワークアクセス装置１０８から周期的に届くジオポジションサンプルから識別される。それぞれの経路には頻度があり、この頻度は或る期間にわたって該当する経路を通る装置が検出された回数に関する。いくつかの実施形態では、所与の経路沿いに繰り返される移動の最小閾値Ｎ（例えば２、５等）が経路の識別前に要求される。これは、装置の反復通行パターンに比較して装置の周期的移動や偶発的移動を区別するのに役立てることができる。閾値は適当なレベルに設定できる（例えば月／週／日単位でＸ回通行）。
【００４０】
図５は、図４の各経路と、適用期間（この場合は３０日）にわたる頻度すなわち通行回数を表にまとめたものである。表のデータは一例であり、必ずしも適用期間中に検出される装置の全移動を示すものでないことは理解されよう。これらの経路は一方向と想定されているが（例えば毎回点１４４から始まる）、システムは往復移動を選択することもでき、また期間中に高頻度通行パターンが集中する「区域」（例えば１／４平方マイル区域等）の形で経路を識別することもできる。
【００４１】
図５から、経路Ｄが識別された経路の中で最も頻繁に通行されていることが分かる（適用期間中に２１回）。経路Ｄを通行するユーザが最大の頻度で検出されているという事実に基づき、経路Ｄの近くに位置する事業主（例えば広告主）のためコンテンツアイテムが転送されてよい。経路は他の経路の一部分であってもよい（例えば経路Ｂは副経路Ｂ１およびＢ２に分かれる）。
【００４２】
ただし、１日の中の異なる時間に、または１週間の中の異なる曜日に、経路が通行されることが判明する場合は、その情報を使用し、他の検出経路に基づいて適切なコンテンツアイテムを選択することもできる。例えば経路Ａが適用期間内に通行された回数が僅か１３回であることが図５から分かる。コンテンツアイテムが提供される時間が経路Ａの通行パターン（例えば１日の中の時間、１週間の中の曜日）に概ね一致するなら、経路Ａの近くでコンテンツアイテムを提供することは妥当であり得る。
【００４３】
様々な通行パターン頻度帯域（範囲）を定義できる。例えば３０日（例えば１ヶ月）の期間を使用する場合、毎日通行経路は毎日（例えば月に３０回以上）通行される経路であってよく、頻繁に通行される経路は月に２１〜２９回通行される経路と定義でき、時々通行される経路は１１〜２０回／月、稀に通行される経路は６〜１０回／月、滅多に通行されない経路は１〜５回／月と定義できる。別の細分化を使用することもできる。例えば図５に示されているように各経路の毎日の平均を計算でき、毎日の平均頻度に異なる頻度範囲を割り当てることもできる。
【００４４】
種々の経路沿いの通行パターンの短期的頻度と長期的頻度を判断するため、複数の期間を含む適当な期間（例えば先週、直近３０日、直近９０日、直近１８０日等）にわたってジオポジションサンプルを累積することもできる。
【００４５】
さらに他の実施形態において、コンテンツアイテムに対応する事業主は異なる通行パターン頻度に基づいて異なる指値を提示してよい。指値は一般的に、事業主がコンテンツアイテムの表示に対して支払う用意のある金額を意味する。指値は、自動競売や他のメカニズムを用いて使用可能なコンテンツアイテム群から表示すべきコンテンツアイテムを選択する広告選択エンジン１３４によって使用されてよい。一般的に、指値が高ければ高いほど、エンジンによってコンテンツアイテムが選択される見込みは高くなる。
【００４６】
例えば下記関係式に基づき期待返り値（ＥＲＶ）を割り出し、コンテンツアイテム選択工程の一部に使用することができる。
ＥＲＶ＝（ｐ）（ｂ）          （１）
この式でｐはユーザがコンテンツアイテムを選択する確率を表し、ｂは指値を表す。確率は様々な方法で設定でき、例えばユーザによって提供されるユーザ関心情報に基づいて設定できる。確率と指値のいずれか一方または両方は、種々の経路の通行パターン頻度の関数であってよい。
【００４７】
さらに他の実施形態では、例えば下記関係式に基づき、経路Ｒの何らかの測定値と、コンテンツアイテムに対応する事業主の選好Ｐを、コンテンツアイテム選択工程にさらに組み入れることもできる。
ＥＲＶ＝ｐ（Ｍ（Ｒ，Ｐ））ｂ（Ｍ（Ｒ，Ｐ））          （２）
この式でｐとｂは上記の通りであり、測定値Ｍ（Ｒ，Ｐ）に部分的に左右され得る。いくつかの実施形態において、Ｍ（Ｒ，Ｐ）はコンテンツアイテムに対応する事業主の物理的位置とその位置に最も近い経路Ｒ沿いの点との距離であってよく、これは指値の値に、および／またはユーザがコンテンツアイテムを選択する確率の値に、影響をおよぼし得る。別の実施形態では、幹線道路沿いのある地域で停止した時間の長さによってＭ（Ｒ，Ｐ）を決定でき、コンテンツアイテムに対応する事業主は、例えばレッカー移動サービスは、当該地域で停止した時間の長さに基づいて関連するコンテンツアイテムを提供できる。上述したように、コンテンツ選択工程は、（ジオポジションサンプルにより）装置１０８が特定の経路上にあることが確認されているときに遂行でき、あるいは経路沿いの装置１０８の以前の通行に基づいて装置１０８や別の装置１０８’に表示するべきものを後ほど選択することもできる。
【００４８】
事業主は、当該事業主の物理的位置の近くで比較的高い通行パターン頻度が判明するユーザの装置にコンテンツアイテムを表示するため、より高い額を支払うことを望む可能性がある。例えば小売業者Ｙは、或るユーザが（検出された通行経路を経由し）通行量の多い経路に沿って定期的に小売業者の施設の１つを通り過ぎることから、当該ユーザの装置に広告を表示するため割増金を支払うことを望む可能性がある。当該ユーザはおそらく定期的に施設の看板を見たり看板に遭遇するため、当該ユーザの装置に広告や他のコンテンツアイテムを表示すれば、当該ユーザが表示されたコンテンツアイテムを選択する見込みは高くなり得る。
【００４９】
表示されたコンテンツアイテムの選択は様々な方法で検出できる。いくつかの実施形態において、コンテンツアイテムはインタラクティブであってよく、ユーザがコンテンツアイテムを（例えば「クリック」して）選択すると、新たなコンテンツを装置へ誘導するなどして、装置のディスプレイに新たなコンテンツが表示される。この場合の「クリック」はタッチパッド上でのコンテンツアイテムの物理的選択であってよく、あるいはマウスや他の入力装置によってなされてよく、あるいは装置を振るなり操作するなりしてなされてよく、あるいは音声コマンドインターフェイスへ音声コマンドを発することによってなされてもよい。
【００５０】
別の実施形態では、コンテンツアイテムに対応する事業主の物理的位置の方向にある位置への、および／またはコンテンツアイテムに対応する事業主の物理的位置に近い位置への、装置１０８の動きが検出されることによって、表示されたコンテンツアイテムが選択されてよい。例えば、上述した喫茶店の広告は、購入にともないコーヒー１杯を無料で進呈する宣伝文句を提示してよい。喫茶店へ向かう装置１０８を検出したら、ユーザが装置でコンテンツアイテムを「クリック」しようがしまいが、ユーザが表示されたコンテンツアイテムを選択したことを確認できる。
【００５１】
コンテンツアイテム表示後の選択応答期間は任意であってよい。例えばある特定のコンテンツアイテムが表示される場合に、応答期間（例えば１時間、２４時間等）内に事業主の物理的位置へ向かう装置１０８の動きが検出されたら、そのコンテンツアイテムがユーザによって選択されたことを確認できる。コンテンツアイテムの表示に応じて現在の経路からコンテンツアイテムに対応する事業主の物理的位置の方向にそれる状況も、コンテンツアイテムの選択として認識することができる。装置における物理的位置での現地ｗｉｆｉホットスポットの検出も選択の確認に役立てることができる。当業者なら本開示に鑑みてこれらの代案やその他の代案を容易に思い付くであろう。
【００５２】
どのような形であれ表示されたコンテンツアイテムがユーザによって選択されると、対話が行われてよい。対話は、コンテンツアイテムに対応する事業主からコンテンツアイテム選択サーバ（例えば図１の広告サーバ１０４等）を管理する事業主へ資金を送金することを含む。送金される資金の額は、上述した様々な指値、距離および／または確率値に従って決定されてよく、コンテンツアイテム表示の機会費用等、他の適当な検討材料に基づいて決定されてもよい。送金される資金の一部は、コンテンツアイテムを要請したパブリッシャコンテンツの所有者へ差し向けられてよい。いくつかの実施形態では、支払期間の最後に資金が送金されてよく、あるいは取引単位方式とは異なる方式で資金が送金されてよい（例えば一定数のユーザが広告をクリックするなどして転向した場合に限り支払が発生し、さもなくば金銭の取引は行われない）。
【００５３】
ネットワークアクセス装置がそれぞれ異なる表示特性や表示環境を有し得ることは理解されよう。モバイルアプリケーションにおけるパブリッシャコンテンツの画面サイズおよびレイアウトは、従来のデスクトップ／ラップトップ／タブレット形式と異なる可能性がある。例えばスマートフォンで提供されるモバイル広告は比較的小さいサイズに制限される可能性があるが、それでもディスプレイエリアの比較的大きい部分を占める可能性がある。一方、デスクトップディスプレイで提供される従来の広告はより大きく、且つよりインタラクティブになる可能性があり、場合によってはモバイル広告より大きい対話率の対象となる可能性がある。本明細書で開示される種々の実施形態は、比較的「小さい」ディスプレイを有するユーザの装置のジオポジションサンプルに基づいて、ユーザの「大きい」ディスプレイへコンテンツアイテムを容易に提供できる。
【００５４】
さらに他の実施形態では、装置の通行パターンの１つ以上の特性を概して示すモデルを生成するため、ジオポジションおよび時間データを含むがこれらに限定されない様々な種類のデータがネットワークアクセス装置１０８から提供されてよく、生成されたモデルは装置を携行するユーザに相関されてよい。モデルは、位置、速度、加速度、予測目的地、気象、地図、装置使用、ならびに装置１０８の検出経路との関係で提供され得る他のいくつもの適切な種類のデータに基づかせてよい。生成されたモデルに応じて、ディスプレイ装置やユーザに対応付けられた他の装置に表示すべき１つ以上のコンテンツアイテムが提供されてよい。
【００５５】
一例として、経過時間ｘ軸１６２と速度（毎時マイル、ｍｐｈ）ｙ軸１６４で描かれた速度曲線１６０を図６に示す。曲線１６０は、図４の経路Ａ〜Ｄのいずれか１つに、もしくはこれらの一部分に、または異なる検出経路に、対応付けることができ、上述したように装置からの一連のジオポジション信号から導き出される。例示的データが滑らかな曲線として示されているが、図３で上述した離散的ジオポジションサンプルから曲線が外挿される可能性があることは理解されよう。
【００５６】
ジオポジションサンプルの分解能に応じて曲線１６０の特性を判断できる。例えば、曲線に対応する地理的経路の一部分における掲示制限速度に対する最大検出速度の比較は、ならびに装置に近接する他装置からのジオポジションデータは、装置のユーザが習慣的に制限速度および／または周囲の通行車より速く、または遅く、運転しているか否かを示し得る。低速から高速へ加速する割合も同様に、装置が置かれている車両の運転の活発さの尺度を提供できる。装置のユーザには、プログラムまたは機能でかかる情報を収集するか否かを制御する機会が与えられる。つまりユーザは、ユーザについて情報が収集されるか否か、および／またはユーザについて情報がどのように収集されるかと、コンテンツサーバによって情報が使用されるか否か、および／またはコンテンツサーバによって情報がどのように使用されるかを、制御する。
【００５７】
時間の経過にともない、装置のユーザが個人を識別できないある特定の人口層の一員であることを、例えば若い男性であることを、確認でき、これは、その人口層の関心を引く物品および／またはサービスのコンテンツアイテムを、例えば広告を、表示する機会を示唆できる。
【００５８】
装置のユーザが実際に車両の運転手なのか、それとも車両の同乗者なのかを判断するため、フィルタリングや他の信号解析を適用できる。これは例えば装置１０８の使用状況を検出することによって遂行できる。運転経路で大きなぶれなくメールを打ったり他のユーザインタラクティブ操作を行ったりする割合が高い状況は、装置のユーザが同乗者であることを示唆し得る。運転手の注意を要する作業を車両が遂行している最中の物理的なユーザ入力操作（例えば方向転換中のタイピング）の測定は、装置１０８がおそらく運転手以外によって操作されていることの証拠となる。装置のユーザには、プログラムまたは機能でかかる情報を収集するか否かを制御する機会が与えられる。つまりユーザは、ユーザについて情報が収集されるか否か、および／またはユーザについて情報がどのように収集されるかと、コンテンツサーバによって情報が使用されるか否か、および／またはコンテンツサーバによって情報がどのように使用されるかを、制御する。
【００５９】
実際、通行経路を使用状況や他の情報（公共輸送スケジュール等）に相関させることにより、装置のユーザが市営バス等の公共輸送手段で移動していることをシステムで判断できる。これは一種のモデルとして役立てることもできる（例えば装置のユーザは特定の経路で公共輸送手段の利用者）。この場合、ユーザは必ずしも自由に経路からそれることができないから、そのときの経路から外れることをユーザに強いる近隣施設の広告を提供する意欲はさほどかきたてられない。
【００６０】
図７は、いくつかの実施形態に基づくモデル生成エンジン１７０を示す。エンジン１７０は図２および図３のジオ／時間モジュール１３６に組み込むことができる。エンジン１７０は、ジオポジションデータ１７２、地図データ１７４、気象データ１７６、装置使用データ１７８等、様々なデータ入力を使用し、装置の通行パターンに関連するモデルを生成する。モデルはその後、広告選択エンジン１３４が適切なコンテンツアイテムを選択するための入力として使用できる。
【００６１】
ジオポジションデータ１７２は図３で上述した通りに提供できる。ネットワークアクセス装置のユーザによって採用される特定の経路と、かかる経路に関連する情報（例えば掲示制限速度、車線数、出口、交差道路、停止灯の場所等）を判断するため、地図データ１７４は、街路、幹線道路、地形等の地図情報（例えばＧｏｏｇｌｅ  Ｍａｐｓ、ＮａｖＴｅｑ、地理情報システム（ＧＩＳ）、ウェブＧＩＳ等）を含み得る。
【００６２】
気象データ１７６は、時間および場所別の蓄積および／またはリアルタイム気象情報の１つ以上のデータベースを含み得る（例えばＮＣＤＳ、ＮＷＳ等）。装置使用データ１７８は、通話、ｅメール使用、テキスト入力、ウェブ閲覧、ならびに装置の使用を示す他種の通信および使用データを含む。
【００６３】
装置ユーザの個人を識別できない特性や関心について理解を深めるため、モデルは多数の用途に利用できる。モデルは様々な形をとり得る。例えば、上述したように種々の経路沿いの通常の運転速度と加速度／減速度はユーザの運転特性を示し得る情報を提供できる。推測された運転特性は、ユーザが種々のコンテンツアイテムに関心を寄せる確率の高さを示唆し得る。装置のユーザには、プログラムまたは機能でかかる情報を収集するか否かを制御する機会が与えられる。つまりユーザは、ユーザについて情報が収集されるか否か、および／またはユーザについて情報がどのように収集されるかと、コンテンツサーバによって情報が使用されるか否か、および／またはコンテンツサーバによって情報がどのように使用されるかを、制御する。
【００６４】
高い加速度と速度は、ユーザによる高性能車両の所有に関する情報を、および／または高性能車両に対するユーザの関心に関する情報を、示唆し得る。（装置のジオポジション信号により）平らな地面で特に速く加速するが坂でゆっくり加速するユーザは、高性能車両やエンジン改良／整備等、ある種の物品／サービスの候補になり得る。
【００６５】
ジオポジション信号の精度しだいでは、ユーザが一定して高い頻度で車線を変更していることを判断でき、これを活発な運転の証拠として使用することもできる。装置のユーザには、プログラムまたは機能でかかる情報を収集するか否かを制御する機会が与えられる。つまりユーザは、ユーザについて情報が収集されるか否か、および／またはユーザについて情報がどのように収集されるかと、コンテンツサーバによって情報が使用されるか否か、および／またはコンテンツサーバによって情報がどのように使用されるかを、制御する。
【００６６】
気象データ１７６を上記のデータに組み合わせることにより、雨／雪／氷や他の過酷な条件に晒される区域を通る傾向がユーザにあるか否かをつかむことができる。地図データ１７４の地形情報は採用される道路の種類を示し得る（例えば主要道路、舗装されていない道路）。そのような条件のもとで頻繁に運転するユーザは、スノータイヤ、非常用具キット、アウトドアスポーツグッズ等、それらの条件に関連する適切な物品／サービスの広告やその他コンテンツアイテムの候補とみなすことができる。
【００６７】
良好な気象条件での運転特性を過酷な条件に比較することにより、運転手のリスク対抗度をさらにつかむことができる。
【００６８】
ユーザの活発さのモデルは人口層の予測因子と見立てることができ、予測される人口層に基づいて特定の製品を、例えばビール、スポーツ観戦券、車等を、宣伝する判断材料として利用できる。
【００６９】
ジオポジションサンプルのリアルタイム監視はプッシュコンテクストで適切なコンテンツアイテムの機会を示唆することもできる。例えば装置が主要道路沿いで停止したことが確認され、同じ経路沿いに後続する他の車両が検出される場合は、レッカー移動サービスや他の緊急連絡支援メッセージを自動的に提供できる。Ｕターンが多いユーザや停止時間が非常に短いユーザにはＧＰＳ装置や他のナビゲーション支援に関する広告を提供できる。
【００７０】
上述した実施形態は地域の消費者に対する広告（ならびにその他通信）に適しているが、種々の技法をより広い地理的範囲に拡張することもできる。ジオポジションサンプルは長い通行ルート沿いに、例えば国を横断する旅行で、装置１０８が運ばれていることを指示でき、この場合、モデルは行楽タイプの通行パターンを示唆できる。これは、ユーザが近い将来に、例えば間近に迫った昼食時に、あるいは一日の終わりに、お開きにする場所を時間と速度と採用される経路に基づいて推定する機会を提供できる。生成されたモデルに基づき、これらの場所の近くにレストラン、宿泊施設、娯楽施設等の物理的位置を有する事業主のため好適なコンテンツアイテムを提供できる。
【００７１】
通行パターンは必ずしも自動車による通行に限定されない。ジョギングコースおよび／または自転車専用道路に沿って規則的に採用される経路と速度と加速度のデータは、ユーザが体の健康に興味を持っていることを指示し得る。これを踏まえ、装置１０８やユーザに対応付けられた他の装置１０８’へ適切なコンテンツアイテムを提供できる。
【００７２】
図８は、いくつかの実施形態に基づいて遂行され得るステップを概説するジオポジションサンプリングルーチン２００を示す。様々な代案が既に説明されており、用途によっては必要に応じて種々のステップを省いたり、変更したり、付け加えたりすることができる。概して、ルーチン２００はネットワークアクセス装置の通行パターンを識別する働きをし、図２および図３の例示的ジオ／時間検出モジュール１３６によって遂行される。
【００７３】
ステップ２０２では、ネットワークアクセス装置１０８から一連のジオポジションサンプルが受信される。これらのサンプルは、１つ以上の期間にわたってネットワークアクセス装置の様々な地理的位置を示す。
【００７４】
ステップ２０４では、装置が繰り返し移送される１つ以上の地理的経路が識別される。これは、地図データやその他の情報を参照して図４に示されたような経路を識別することを含み得る。ステップ２０６では、経路の頻度情報が導き出される。この頻度情報は図５に示された形式をとり得る。
【００７５】
必要に応じ、ステップ２０８ではモデル情報が生成されてよく、ステップ２０４の１つ以上の経路に沿った装置の通行パターンの特性を示す１つ以上のモデルが提供される。モデルは上述したモデル生成エンジン１７０によって生成されてよい。ステップ２１０では他のユーザ装置が識別されてよい。これは、上述したようにユーザに他装置を識別することを要請することにより、様々な他装置を使ったユーザによるシステムへのアクセスを監視することにより、あるいは他の適当な方法により、遂行できる。その後ステップ２１２では、頻度とモデルと装置情報がメモリに蓄積され、後ほど参照できるようになる。
【００７６】
図９はコンテンツアイテム生成ルーチン２２０を示す。既に述べたように、ルーチン２２０は一例に過ぎず、種々のステップを省いたり、変更したり、付け加えたりすることができる。概して、ルーチン２２０は、図８のルーチン２００で蓄積された頻度／モデル／装置情報に応じて選択され得る使用可能なコンテンツアイテムをそれぞれ提供する働きをする。図９のステップは図１および図２の広告サーバ１０４と広告主１０６のモジュールで遂行されてよい。
【００７７】
ステップ２２２ではコンテンツアイテムが作成される。コンテンツアイテムはメモリに蓄積されるデジタルデータとして表現されてよく、プログラミングコード、グラフィック、視聴覚コンテンツ、テキスト、ならびに他の適当なコンテンツを含む。コンテンツアイテムは事業主に対応付けられ、ユーザのディスプレイ装置に伝送され表示されるよう構成された広告やその他の宣伝文句、通信、勧誘、通知等の形をとり得る。
【００７８】
事業主は、図８のユーザの近くに小売施設等の１つ以上の物理的位置を有すると想定されるが、必ずしもそうであるとは限らない。例えば物理的位置がレストランなら、コンテンツアイテムに対応する情報コンテンツは、ロゴ、所在地住所、徒歩方向、運転方向、メニュー、クーポン、優待、写真、評価、授賞情報等を含み得る。これらのコンテンツアイテム要素や他のコンテンツアイテム要素を必要に応じて表示できる。
【００７９】
ステップ２２４では、ステップ２２２のコンテンツアイテムについて１つ以上の指値が生成されてよい。指値は、コンテンツアイテムに対応する事業主がユーザ装置にコンテンツアイテムを表示させるために支払ってもよい金額を意味する。いくつかの実施形態では複数の指値が生成されてよい。例えば事業主は低頻度経路に対し第１の低い指値を指定し、高頻度経路に対し第２の高い指値を指定してよい。所与の経路沿いの近接度（距離）に応じて異なる指値が提示されてもよい。例えば、高頻度経路に位置するか高頻度経路の近くに位置する物理的位置を有する事業主の場合は、比較的高い指値が提示されてよい。
【００８０】
モデル情報に基づいて異なる指値が生成されてもよい。例えば安全な運転手やアウトドア愛好家等と推測されるユーザの場合に、ジオポジションサンプルとモデル情報から特定の人口層が選択されてよい。
【００８１】
その後ステップ２２６では、生成された指値とコンテンツアイテムが転送され、コンテンツアイテムの出所の、例えば広告サーバ１０４の、メモリに蓄積される。いくつかの実施形態では事業主がコンテンツアイテムと指値を生成する。別の実施形態では広告サーバか第三者がコンテンツアイテムおよび／または指値を生成する。指値とコンテンツアイテムを異なる広告キャンペーンにまとめることもできる。
【００８２】
図１０は、いくつかの実施形態に基づくコンテンツアイテム選択ルーチン２３０を示す。既に述べたように、必要に応じて種々のステップを付け加えたり、削除したり、および／または変更したりすることができる。図１０に示すステップは図１〜図３の広告サーバ１０４によって遂行できると想定される。
【００８３】
ステップ２３２では、装置からコンテンツアイテムの要請が受信される。要請は実際の要請であってよく、あるいはネットワークアクセス装置（例えば図３の１０８、１０８’）で稼働するパブリッシャコンテンツに応じて装置から届く他の通信信号であってもよい。プッシュコンテクストでかかるコンテンツアイテムの受信を選んだユーザの場合は、ジオポジションサンプルから要請が暗示されてよい。例えば上述したケースでは、本来ならば移動していると判断される装置が経路の路肩で静止している状況が検出され、システムは装置に対し応急サービスのコンテンツアイテムを提供することによって応答する。この場合は検出された静止位置がステップ２３２の要請となる。
【００８４】
ステップ２３４では、システムが要請に応じて図８のルーチン２００で得られたユーザの頻度／モデル／装置情報にアクセスする。ステップ２３６では、頻度／モデル／装置情報で識別される種々の地理的経路の近くに物理的位置を有し得る別の事業主にそれぞれ対応する使用可能なコンテンツアイテム群から、適当なコンテンツアイテムが選択される。
【００８５】
コンテンツアイテムは自動競売や他の適当な選択メカニズムを用いて選択されてよい。選択工程では様々な指値を検討でき、最も高い期待返り値を有するコンテンツアイテムが、または最も高い転向確率を有するコンテンツアイテムが、選択される。上記の検討材料に基づいて表示すべきコンテンツアイテムを特定する際には、いくつもの適当なパラメータを使用できる。
【００８６】
ステップ２３８では、選択されたコンテンツアイテムが転送されてユーザの装置で表示される。図３で上述したように、コンテンツアイテムが表示される装置は、ジオポジションサンプルの出所にあたる装置である場合とそうでない場合とがある。
【００８７】
次にステップ２４０では、コンテンツアイテムの選択が検出される。これも様々な方法で遂行できる。従来のデスクトップ環境では、ユーザがコンテンツアイテムをクリックし、装置に対する新たなコンテンツの提供を感知することによって選択が検出されてよい。モバイル装置環境でも同様に、装置を扱うユーザがコンテンツアイテムをクリックすることにより、装置を振るなり操作するなりすることにより、装置に対しコマンドを発声することにより、選択が検出されてよい。
【００８８】
モバイル装置におけるコンテンツアイテムの選択は、所与の経路から離れて事業主の物理的位置がある方向に向かう装置の動きを検出することを含む場合もある。装置で表示されたバーコードをスキャンしたり（電子クーポン）、物理的位置のＩＰアドレスやｗｉｆｉホットスポットを検出する等、物理的位置における装置の相互操作によって選択がさらに確認される場合もある。選択の後には、図９で選択されたコンテンツアイテムを提供した事業主と図１０におけるコンテンツアイテムの供給者（例えば広告サーバ１０４）との間で、資金の送金が行われてよい。
【００８９】
本明細書で説明するシステムおよび／または方法がユーザの個人情報を収集する状況では、またはユーザの個人情報を利用する可能性がある状況では、プログラムまたは機能でユーザ情報（例えばユーザの社会的ネットワーク、社会的行為または活動、職業、ユーザの好み、ユーザの現在位置に関する情報）を収集するか否かを制御する機会がユーザに与えられてよく、あるいはコンテンツサーバからユーザに関連性の強いコンテンツを受け取るか否かを、および／またはコンテンツサーバからユーザに関連性の強いコンテンツをどのように受け取るかを、制御する機会がユーザに与えられてよい。また、個人識別情報を取り出せないようにするため、データが蓄積されたり使用されたりする前に、データを１つ以上の方法で加工することもできる。例えば、ユーザの身元情報を加工することによって当該ユーザの個人識別情報を確認できないようにしたり、位置情報が取得される場合にユーザの地理的位置を漠然化することによって（精度は最も近い十（１０）フィート、市、郵便番号、または州レベルまで変えることができる）、ユーザの具体的な位置を確認できないようにすることができる。つまりユーザは、ユーザに関する情報がコンテンツサーバによってどのように収集され、どのように使用されるかを制御できる。
【００９０】
さらに他の実施形態において、システムは、選択されたパブリッシャディスプレイの読み込みに応じて使用可能なコンテンツアイテム群からコンテンツアイテムの要請を提供することを含み得る。ブロックされたコンテンツアイテムは、選択されたパブリッシャディスプレイで表示できるコンテンツアイテム群から除外される。ここでは、選択されたコンテンツアイテムがブロックされた後に残るコンテンツアイテム群からコンテンツアイテムが選択される。その後このコンテンツアイテムが表示のため装置へ転送される。
【００９１】
開示の実装は、ハードウェア、ファームウェア、ソフトウェア、またはこれらの適切な任意の組み合わせで、行われてよい。本開示の実装は機械可読媒体に蓄積される命令として実装されてもよく、それらの命令は１つ以上のプロセッサによって読み取られ、実行されてよい。有形の機械可読媒体は、機械（例えば計算装置）による読み取りが可能な形で情報を蓄積または伝送する何らかの有形で持続的なメカニズムを含み得る。例えば有形機械可読記憶媒体は、読取専用メモリ、ランダムアクセスメモリ、磁気式ディスク記憶媒体、光学式記憶媒体、フラッシュメモリ装置、ならびに他の有形記憶媒体を含み得る。無形の機械可読伝送媒体は、無形の伝搬信号を、例えば搬送波、赤外線信号、デジタル信号、ならびに他の無形伝送媒体を、含み得る。また、上記の開示においてはファームウェア、ソフトウェア、ルーチン、または命令が本開示の例示的実装として説明されてよく、特定の操作を遂行してよい。ただし、かかる説明が便宜上のものに過ぎないこと、また、かかる操作が実際にはファームウェア、ソフトウェア、ルーチン、または命令を実行する計算装置、プロセッサ、コントローラ、またはその他装置によってもたらされることは、明白であろう。
【００９２】
グラフィカル・ユーザ・インターフェイス（ＧＵＩ）におけるパブリッシャ・ディスプレイ・アイテムの「表示」が、視覚、聴覚、または他の感覚形態を含むがこれらに限定されない、ユーザによる感知が可能な何らかの形態をとり得ることは上記の説明から理解されよう。「様々な種類」のディスプレイアイテムへの言及は、ユーザに様々なファイル形式表示（例えばテキスト、オーディオ、ビデオ、静止画像、モバイルアプリケーション等）を提供する様々な部類のディスプレイアイテムを説明する上記の説明と一致するものと理解されよう。
【００９３】
上記の説明では本開示の種々の実施形態の多数の特徴および利点が種々の実施形態の構造および機能の詳細と併せて記述されているが、この詳細な説明が一例に過ぎないこと、また、添付の請求項に使われている用語の広範な意味によって指定される本開示の原理の範囲内で、細部に、特に部品の構造や配置の点で、変更を施せることは、理解されよう。
【図１】
2015535123.tif 000003
【図２】
2015535123.tif 000004
【図３】
2015535123.tif 000005
【図４】
2015535123.tif 000006
【図５】
2015535123.tif 000007
【図６】
2015535123.tif 000008
【図７】
2015535123.tif 000009
【図８】
2015535123.tif 000010
【図９】
2015535123.tif 000011
【図１０】
2015535123.tif 000012
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
コンピュータで実行される方法であって、
或る期間にわたってネットワークアクセス装置から前記装置の様々な地理的位置を示す一連のジオポジションサンプルを受信することと、
前記一連のジオポジション信号に応じて前記期間中に前記装置が閾値Ｎ回以上繰り返し移送された地理的経路を識別することと、
前記地理的経路の近くに物理的位置を有する事業主に各々対応する複数の使用可能なコンテンツアイテムからコンテンツアイテムを選択することと、
前記ネットワークアクセス装置のユーザに対応付けられたディスプレイで前記コンテンツアイテムを表示することと、
を備える方法。
【請求項２】
前記一連のジオポジション信号に応じ、前記期間内に前記ネットワークアクセス装置が前記閾値Ｎ回以上繰り返し移送された複数の地理的経路を識別することと、
前記地理的経路の各々につき、前記期間中に前記装置が移送された合計回数を表す頻度数を累積することとをさらに備え、前記コンテンツアイテムは前記関連頻度数に基づいて選択される、請求項１に記載の方法。
【請求項３】
前記コンテンツアイテムは最大の前記関連頻度数を有する前記経路に基づいて選択される、請求項２に記載の方法。
【請求項４】
Ｎは複数である、請求項１に記載の方法。
【請求項５】
前記経路に関連する前記ジオポジションサンプル、加速度データ、およびタイミングデータに応じてモデルを生成することをさらに備え、前記モデルは前記経路に関連する特性を指示し、前記コンテンツアイテムはさらに、生成された前記モデルとの関係で選択される、請求項１に記載の方法。
【請求項６】
前記モデルはさらに、前記経路に関連する地図データに応じて生成される、請求項５に記載の方法。
【請求項７】
前記モデルはさらに、前記経路に関連する気象データに応じて生成される、請求項５に記載の方法。
【請求項８】
前記モデルはさらに、前記経路に関連する交通データに応じて生成される、請求項５に記載の方法。
【請求項９】
前記コンテンツアイテムはさらに、前記事業主によって提示され、前記事業主が選択された前記コンテンツアイテムの表示に対して支払う用意のある金額を表す、指値との関係で選択され、前記指値は、前記期間内に前記地理的経路に沿って動く前記装置が検出された合計回数との関係で変化する、請求項１に記載の方法。
【請求項１０】
前記ネットワークアクセス装置はモバイル通信装置であって、選択された前記コンテンツアイテムは前記モバイル通信装置の前記ユーザに対応付けられた別の第２のネットワークアクセス装置で表示される、請求項１に記載の方法。
【請求項１１】
前記第２のネットワークアクセス装置は前記地理的経路の終点の近くに位置する前記ユーザのデスクトップコンピュータである、請求項１０に記載の方法。
【請求項１２】
前記ユーザによる表示された前記コンテンツアイテムの選択を検出することと、前記事業主と前記選択に応じて前記ディスプレイへ転送された前記コンテンツアイテムの出所との間で資金の送金を実行することとをさらに備える、請求項１に記載の方法。
【請求項１３】
表示された前記コンテンツアイテムの前記選択は、前記ディスプレイに表示された前記コンテンツアイテムのクリックを検出することによって検出される、請求項１２に記載の方法。
【請求項１４】
表示された前記コンテンツアイテムの前記選択は、所定の選択応答期間内に表示された前記コンテンツアイテムに対応する前記事業主の前記物理的位置の方向に向かう前記ネットワークアクセス装置の動きを検出することによって検出される、請求項１２に記載の方法。
【請求項１５】
表示された前記コンテンツアイテムの前記選択は、前記ネットワークアクセス装置を用いて表示された前記コンテンツアイテムに対応する前記事業主の前記物理的位置のｗｉｆｉホットスポットを検出することによって検出される、請求項１４に記載の方法。
【請求項１６】
前記ジオポジションサンプルに基づいて前記ネットワークアクセス装置の前記ユーザのモデルを生成することをさらに備え、前記モデルは前記ユーザが自動車を運転するときの前記ユーザの相対的活発さを指示し、前記コンテンツアイテムは生成された前記モデルとの関係で選択される、請求項１に記載の方法。
【請求項１７】
前記コンテンツアイテムは選択された前記ディスプレイの広告スロットに表示されるよう構成された広告である、請求項１に記載の方法。
【請求項１８】
機器であって、
或る期間にわたってネットワークアクセス装置から前記装置の様々な地理的位置を示す一連のジオポジションサンプルを受信するよう構成され、前記一連のジオポジション信号に応じて前記期間中に前記装置のユーザによって前記装置が繰り返し移送された地理的経路を識別するようさらに構成されたジオ／時間検出モジュールと、
前記ジオポジション信号に応じて前記地理的経路の通行パターンに関連するモデルを生成するよう構成されたモデル生成エンジンと、
前記地理的経路と生成された前記モデルに応じて使用可能なコンテンツアイテム群からコンテンツアイテムを選択し、且つ前記ネットワークアクセス装置の前記ユーザに対応付けられたディスプレイ装置で表示するため前記コンテンツアイテムを転送するよう構成されたコンテンツアイテム選択エンジンと、
を備える機器。
【請求項１９】
ネットワークを介して前記ネットワークアクセス装置へ接続されるサーバとして特徴付けられる、請求項１８に記載の機器。
【請求項２０】
前記モデルは前記経路に関連する前記ジオポジションサンプル、加速度データ、およびタイミングデータに応じて生成され、前記モデルは前記ユーザが前記経路沿いに自動車を運転する特徴的方法を指示し、前記コンテンツアイテムは前記ユーザの前記特徴的運転方法に応じて選択される、請求項１８に記載の機器。
【請求項２１】
前記モデルはさらに、前記経路に関連する地図データに応じて生成される、請求項２０に記載の機器。
【請求項２２】
前記モデルはさらに、前記経路に関連する気象データに応じて生成される、請求項２０に記載の機器。
【請求項２３】
前記モデルはさらに、前記経路に関連する交通データに応じて生成される、請求項２０に記載の機器。
【請求項２４】
前記ネットワークアクセス装置はモバイル通信装置であって、選択された前記コンテンツアイテムは前記モバイル通信装置の前記ユーザに対応付けられた別の第２のネットワークアクセス装置で表示される、請求項１８に記載の機器。
【請求項２５】
前記第２のネットワークアクセス装置は前記地理的経路の終点の近くに位置する前記ユーザのデスクトップコンピュータである、請求項２４に記載の機器。
【請求項２６】
前記モデルは前記ユーザが自動車内の同乗者として前記地理的経路沿いを通行しているか否かを指示し、前記コンテンツアイテムは前記指示に応じて選択される、請求項２４に記載の機器。
【請求項２７】
前記ジオ／時間検出モジュールはさらに、前記一連のジオポジション信号に応じて前記期間内に前記ネットワークアクセス装置が閾値Ｎ回以上繰り返し移送された複数の地理的経路を検出し、且つ前記期間中に前記経路が前記ネットワークアクセス装置によって通行された合計回数を表す頻度数を経路ごとに確認するよう構成され、前記選択エンジンはさらに、選択された前記コンテンツアイテムの前記関連頻度数との関係で前記コンテンツアイテムを選択する、請求項１８に記載の機器。
【請求項２８】
選択される前記コンテンツアイテムは前記ディスプレイ装置の広告スロットに表示されるよう構成された広告である、請求項１８に記載の機器。
【請求項２９】
前記コンテンツアイテムはさらに、前記事業主によって提示され、前記事業主が選択された前記コンテンツアイテムの表示に対して支払う用意のある金額を表す、指値との関係で選択され、前記指値は前記生成されたモデルとの関係で変化する大きさを有する、請求項１８に記載の機器。
【請求項３０】
前記指値は前記期間内に前記地理的経路に沿って動く前記装置が検出された合計回数との関係で変化する大きさを有する、請求項２９に記載の機器。
【請求項３１】
請求項１から１７のいずれかに記載の方法をコンピュータに実行させるためのプログラム。
【国際調査報告】
2015535123.tif 000013
2015535123.tif 000014